(57)【要約】      （修正有）【課題】折畳んだ傘又はその傘を収容した袋を包み込み、展開すればレインコートやレインジャケット等の雨衣になる折畳み傘の収納カバーを提供する。【解決手段】雨衣の身頃に、雨衣を折畳んで収納する正面視略四角形を呈する収納ポケットを設け、折畳んだ雨衣を収納したポケット２によって、収容袋に入れるか又は入れない折畳んだ傘５を包み込み、その包み込み状態をベルト等のファスナ部材３で拘束することにより、折畳み傘をポケットに収納するようにした。【選択図】図７
0003194912.tif 000002
【実用新案登録請求の範囲】
【請求項１】
雨衣の身頃に、当該雨衣を折畳んで収納する正面視略四角形を呈する収納ポケットを設け、折畳んだ雨衣を収納した前記ポケットによって、収容袋に入れるか又は前記袋に入れない折畳んだ傘を包み込み、その包み込み状態をファスナ部材で拘束することにより、前記折畳み傘を前記ポケットに収納するようにしたことを特徴とする折畳み傘の雨衣付き収納カバー。
【請求項２】
雨衣は、コート状，ジャケット状，ブルゾン状，ポンチョ状のいずれかである請求項１に記載した折畳み傘の雨衣付き収納カバー。
【請求項３】
収納ポケットは、雨衣の前身頃，後身頃，脇身頃のいずれかの身頃に設けた請求項１又は２に記載した折畳み傘の雨衣付き収納カバー。
【請求項４】
収納ポケットは、身頃の裏面又は表面に設けた請求項３に記載した折畳み傘の雨衣付き収納カバー。
【請求項５】
収納ポケットは、雨衣と一体又は分離可能に形成した請求項４に記載した折畳み傘の雨衣付き収納カバー。
【請求項６】
ファスナ部材は、収納ポケットに設けたベルト、線ファスナー、面ファスナー、点ファスナー、留め具のいずれかである請求項１〜５のいずれかに記載した折畳み傘の雨衣付き収納カバー。
【考案の詳細な説明】
【技術分野】
【０００１】
本考案は、折畳み傘の収納カバーとして機能する一方、展開して雨衣（レインジャケットやレインコートなど）として使用できる折畳み傘の雨衣付きの収納カバーに関する。
【背景技術】
【０００２】
折畳み傘は、急に降り出す雨用の傘として好天の日でもカバンやバッグなどに折畳み状態で収容袋に入れて携行されることが多い。しかし、雨衣を普段に持歩くことは殆んどない。
【０００３】
折畳み傘は、折畳んだ状態で収容袋に収めた状態でカバンやバッグに入れて携行することが大半であるため、小型，軽量なものが重宝されるが、実際に雨に遭って携行している折畳み傘をさす場合には、大型であることが雨に濡れないために不可欠である。しかし、大型の折畳み傘は、普段に携行するには折畳んでもかなり大型であって重量もあるため、持ち歩きには適していない。
【０００４】
一方、雨衣を携帯可能に形成したものは、特許文献１などによって公知であるが、雨衣として単独使用する形態であるため、携行することは可能であるが、雨衣を携行するといってもその雨衣と折畳み傘を一緒に持ち歩くような慣行は見当らない。
【０００５】
しかし、普段に持ち歩いている小型，軽量の折畳み傘では、急に来る本降りの雨を凌ぐには不十分である。
【先行技術文献】
【特許文献】
【０００６】
【特許文献１】実用新案登録第３００２１８６号公報
【特許文献２】実用新案登録第３１７０５１０号公報
【特許文献３】特許第２８８４２８３号公報
【考案の概要】
【考案が解決しようとする課題】
【０００７】
そこで本考案は、折畳み傘又はその傘を収容した袋を包み込んで結束し、展開すればレインコートやレインジャケット等の雨衣になるカバーであって、前記折畳み傘を収容袋に入れた状態で、又は、収容袋に入れていない折畳んだ傘を収納できるようになった折畳み傘収納カバーを提供することを課題とする。
すなわち、折畳み傘を収納している収納カバーが雨衣に展開できると、小型の折畳み傘と展開した前記カバーがによる雨衣を併用することできるから、本降りの急な雨に効果的に対応できてきわめて便利である。
【課題を解決するための手段】
【０００８】
上記課題を解決することを目的としてなされた本考案折畳み傘の収納カバーの構成は、雨衣の身頃に、当該雨衣を折畳んで収納する正面視略四角形を呈する収納ポケットを設け、収容袋に入れた状態、又は、収納袋に入れていない状態の折畳んだ傘を前記の折畳んだ雨衣を収納した前記ポケットによって包み、その包みをベルト等の結束材で結束することにより、前記折畳み傘を収納するようにしたことを特徴とするものである。
【０００９】
本考案では上記構成において、以下の形態を選択することができる。
すなわち、雨衣はコート状，ジャケット状，ブルゾン状，ポンチョ状のいずれであってもよい。また、収納ポケットは、前記雨衣の前身頃，後身頃，脇身頃のいずれの身頃に設けてもよいし、該ポケットを前記各身頃における表裏いずれの面に設けるかも問わない。
次に、結束材は、柔軟な紐又はベルトが好ましく、また、前記ポケットに当該結束材の中間部を固定しておくことがよい。結束材の散逸を防ぐためである。前記結束材は、収容袋に入れるか又は該収納袋に入れていない折畳んだ傘を包み込んだ前記ポケットを、その外面から縛るように結わいてもよいし、結束材の長さ方向の両端部に設けた１ペアの面ファスナの係絡によって結束する形にしてもよい。
【考案の効果】
【００１０】
本考案の折畳み傘収納カバーは、雨衣の身頃に、当該雨衣を折畳んで収納する正面視略四角形を呈する収納ポケットを設け、折畳んだ雨衣を収納した前記ポケットによって収容袋に入れるか、又は、前記袋に入れていない折畳んだ傘を包み込み、その包み込んだ状態をベルト等の結束材で結束し、前記折畳み傘を前記ポケットでカバーした態様で収納するようにしたから、ワン・パッケージで、レインコート等の雨衣と折畳み傘を携行することができ、従って、急な本降りの雨に遭っても、前記傘と雨衣の両方を使用して本降りの雨を凌ぐことができる。
【図面の簡単な説明】
【００１１】
【図１】本考案で用いる雨衣の一例の正面図。
【図２】図１の雨衣の背面図。
【図３】図１，図２の雨衣の後身頃の裏面に設けた折畳んだ雨衣を収納した収納ポケットの正面図。
【図４】図３のポケットの背面図。
【図５】収容袋に入れた折畳んだ傘の正面図。
【図６】図４のポケットで図５の傘を包み込む状態の平面図。
【図７】図５の傘が図４のポケットに包込まれてカバーされた状態の正面図。
【考案を実施するための形態】
【００１２】
図１，図２は、本考案を適用する雨衣１の一例であって、図１，図２ではフード付きブルゾンタイプの雨衣１である。雨衣１としては、レインコートタイプ、ポンチョタイプ、ジャケットタイプなど任意の形態のものがある。
【００１３】
上記雨衣１は、後身頃１ａの下半側の裏面に、上部を水平な開口部２ａに形成した略四角形のポケットを収納ポケット２として設けている。ここで、前記ポケット２を雨衣１の前身頃１ｂや脇身頃１ｃに設けることは任意であり、また、該ポケット２を前記各身頃の裏面に設けるか表面に設けるかも任意である。図の雨衣１において、１ｄはフード、１ｅは左右の袖である。
【００１４】
図示した収納ポケット２は、図２に例示するように、雨衣１の後身頃１ａの表から裏面に貫通して設けた水平な開口部２ａを有し開口部２ａにはフラップ２ｂが設けられている。フラップ２ｂは左右２組のスナップボタン等の係止具２ｃにより開閉自在に設けられている。フラップ２ｂによる開口部２ａの開閉は線ファスナーや面ファスナーの係止具２ｃによってもよい。ここで、後身頃１ａの収納ポケット２の開口部２ａは、その後身頃１ａの表側から裏側に貫通するように設けその開口部２ａに連通してポケット本体が裏面に形成されている。折畳んだ雨衣１をその開口部２ａからポケット２の中に収納するためである。
【００１５】
上記ポケット２は、図２に示した雨衣１と一体に形成されたものではなく雨衣１と分離したタイプであってもよい。分離タイプの収納ポケット２では、開口部２ａを設ける位置は、当該ポケット２の上部に限られず、側部や底部に設けてもよい。
【００１６】
図３，図４に例示した収納ポケット２は、雨衣１を折り畳んで前記ポケット内に収容した状態のポケット表面側と裏面側を示している。図３のポケット２の表側には、略中央に設けた挿通方向が縦向きのベルト通し３ａを設け、該ベルト通し３ａに結束用ベルト３が縦向きに通されて設けられている。前記ベルト３の両端部には、面ファスナの雌雄部材３ｂ，３ｃがペアをなすように取付けられている。
【００１７】
一方、図４の収納ポケット２の裏側の略中央部には、面ファスナーの雌雄部材４ａ，４ｂにおける一方の部材４ａ又は４ｂが設けられている。この部材４ａ又は４ｂは、図５の折畳み傘５の収容袋４の外面に設けた面ファスナーの他方の部材４ｂ又は４ａに対応している。前記収容袋４は前記面ファスナーの雌雄部材４ａ，４ｂ等のファスナ部材による着脱式ではなく収容袋４を前記ポケット２に逢着等によって固着した形態であってもよい。この形態ではポケット２に固定された収容袋４に折畳み傘５に付属した袋に傘５を入れた状態で収容したりその袋に入れない裸の傘５を収容することになる。
【００１８】
折畳まれて収容袋４に収納された折畳み傘５は、この状態で、図４の収納ポケット２の裏側の上で、面ファスナの前記雌雄部材４ａと４ｂを絡着させて、折畳み傘５を入れている収容袋４を置く（図６参照）。この状態で図６の横向きの収容袋４を前記ポケット２によって上，下から包み込むように、図６の収納ポケット２の上部側（イ）と下部側（ロ）をそれぞれ下方と上方に折り曲げる。この折り曲げで前記収容袋４がその上面から前記ポケット２に包み込まれるように覆われるから、この状態を該ポケット２の表側に設けている結束用ベルト３によって結束し、該ベルト３が備えた一対の面ファスナの雌雄部材３ｂ，３ｃを係絡させて結束すると、図７に示す結束状態になる。
本考案では前記結束ベルト３を設けず、図６の状態の収納ポケット２の上部辺（イの側）と下部辺（ロの側）に設ける面ファスナーや線ファスナー或はスナップボタンやホックなどの点ファスナーや留め具を含むファスナ部材によって折畳み傘を包み込んだ前記ポケット２の上下両辺を結合するようにしてもよい。
【００１９】
図７に示す前記ベルト３による結束状態は、収容袋４に収納した状態の折畳み傘５が雨衣１を折畳んで収めた雨衣の収納ポケット２によって包み込まれ前記ベルト３により結束された状態であるから、折畳み傘５の折畳み状態に比べ少し折畳み径が太くなるが、折畳み傘単体との異和感は殆んどなく、カバンやバッグ等に入れて携行することができる。この状態は結束バンド3に代えて設ける段落００１８で述べたファスナ部材によって傘５の包み込み状態の収納ポケット２を閉じるようにしてもよい。
【００２０】
以上により、本考案収納カバーの携行時に本降りの俄か雨に遭っても、前記結束用ベルト３を解き、収納ポケット２で覆われた収容袋４から折畳み傘５を出すと共に該ポケット２から折畳んだ雨衣１を出して展開し、展開した雨衣１を着用して前記傘５を差すことにより、突然の本降りの雨に遭っても、問題なくその雨を凌ぐことができる。
以上の説明は折り畳んだ傘５がその収容袋４に収められている場合の例であったが、本考案は収容袋に入れていない折り畳んだ傘を前記ポケット２で包み込んでベルト３で結束したりファスナ部材で閉じ込むようにしてもよい。
【００２１】
本考案収納カバーは以上の通りであるから、雨衣と折畳み傘を一体的に結束した状態で携行することができ、従って、俄か雨に遭遇してもその雨を効果的に凌ぐことができる。
【符号の説明】
【００２２】
１  雨衣
１ａ  後身頃
２  収納ポケット
２ａ  開口部
２ｂ  フラップ
２ｃ  係止具
３  結束用ベルト
４  収容袋
５  折畳み傘
【図１】
0003194912.tif 000003
【図２】
0003194912.tif 000004
【図３】
0003194912.tif 000005
【図４】
0003194912.tif 000006
【図５】
0003194912.tif 000007
【図６】
0003194912.tif 000008
【図７】
0003194912.tif 000009